(57)【要約】      （修正有）【課題】ヘアクリップに筆記具としての機能を付加する。【解決手段】髪の毛を束ねた状態で挟持するヘアクリップ１において、一端側に指で摘むグリップ部１０ａ，２０ａを有し、他端側に前記髪の毛を挟持するリーフ部１０ｂ，２０ｂを有する一対のクリップバー１０，２０と、これらクリップバー１０，２０を、グリップ部１０ａ，２０ａを閉じるとリーフ部１０ｂ，２０ｂが開放され、また、グリップ部１０ａ，２０ａを開くとリーフ部１０ｂ，２０ｂが閉鎖されるように揺動可能に連結する支軸３０と、リーフ部１０ｂ，２０ｂを閉鎖方向に付勢する付勢部材４０と、を備え、クリップバー１０，２０のうちの、一方のクリップバー１０を筒状に形成し、クリップバー１０に、ノック部６０と、芯部７０とを設けることにより、クリップバー１０の一方の端部から芯部７０の先端の出し入れが可能なノック式の筆記部５０を構成する。【選択図】図１
2012157408.tif 000002
【特許請求の範囲】
【請求項１】
髪の毛を束ねた状態で挟持するヘアクリップにおいて、
一端側に指で摘むグリップ部を有し、他端側に前記髪の毛を挟持するリーフ部を有する一対のクリップバーと、
前記一対のクリップバーを、前記グリップ部を閉じると前記リーフ部が開放され、前記グリップ部を開くと前記リーフ部が閉鎖されるように揺動可能に連結する支軸と、
２つの前記リーフ部を閉鎖方向に付勢する付勢部材と、を備え、
前記一対のクリップバーのうちの、一方のクリップバーを筒状に形成し、
前記一方のクリップバーに、ノック部と、芯部とを設けることにより、前記一方のクリップバーの一方の端部から前記芯部の先端の出し入れが可能なノック式の筆記部を構成する、
ことを特徴とするヘアクリップ。
【請求項２】
前記芯部の先端は、前記一方のクリップバーの前記リーフ部側の端部から出入りし、
前記ノック部は、前記一方のクリップバーの前記グリップ部側の端部から突出している、
ことを特徴とする請求項１に記載のヘアクリップ。
【請求項３】
前記ノック部と他方のクリップバーとの間に、前記ノック部の押下動作に対応して、閉鎖状態の前記他方のクリップバーの前記リーフ部に係合するとともに前記他方のクリップバーの前記リーフ部の開放動作に対応して係合解除する係合部を有し、
前記一方のクリップバーと前記芯部との間に、前記芯部を収納方向に付勢するばね部材を有する、
ことを特徴とする請求項１又は２に記載のヘアクリップ。
【請求項４】
前記係合部は、前記ノック部に形成されて前記一方のクリップバーの切欠部から前記他方のクリップバーの前記リーフ部に向けて突出された第１凸部と、前記他方のクリップバーのリーフ部に形成されて前記一方のクリップバーの前記リーフ部に向けて突出されて前記第１凸部に係脱可能な第２凸部とを有する、
ことを特徴とする請求項３に記載のヘアクリップ。
【請求項５】
前記髪の毛を挟持する際に、頭部に対して前記他方のグリップバーが内側に位置し、前記一方のグリップバーが外側に位置する、
ことを特徴とする請求項３又は４に記載のヘアクリップ。
【請求項６】
前記一方のクリップバーは、前記頭部の形状に倣って前記他方のグリップバーに向かって凸状に湾曲している、
ことを特徴とする請求項５に記載のヘアクリップ。
【発明の詳細な説明】
【技術分野】
【０００１】
本発明は、束ねた髪の毛を挟持する際に使用するヘアクリップに関する。
【背景技術】
【０００２】
例えば、ロングヘアの女性の髪の毛を後頭部で束ねる器具として、ヘアクリップが知られている（例えば、特許文献１，２参照）。
【０００３】
特許文献１のものは、一対の挟持体の端部に係合機構を設け、頭髪を挟持した挟持体相互の端部を係合させて、頭髪の挟持状態を保持するようにしている。これにより、髪型が長時間にわたって崩れないようにしている。
【０００４】
特許文献２のものは、一方のクリップ片のリーフ部に突起基台を設け、この突起基台に、髪束に分け入る方向に突出する複数の突起を設けている。これにより、髪の量の多少にかかわらず確実に髪を固定することができる。
【先行技術文献】
【特許文献】
【０００５】
【特許文献１】特開平７−１４８０１８号公報
【特許文献２】特開２００９−１８９６１８号公報
【発明の概要】
【発明が解決しようとする課題】
【０００６】
しかしながら、上述の特許文献１，２のものは、長時間にわたって髪型が崩れるのを防止したり、髪の量の多少にかかわらず確実に髪を固定できたりするものの、ヘアクリップ以外の機能、例えば筆記に供することができる機能は有していない。
【０００７】
本発明は、上述した事情に鑑みてなされたものであり、ヘアクリップの本来の機能、すなわち髪を束ねて挟持するという機能に加え、筆記具としての機能をも併せ持つヘアクリップを提供することを目的とするものである。
【課題を解決するための手段】
【０００８】
請求項１に係る発明は、髪の毛を束ねた状態で挟持するヘアクリップにおいて、一端側に指で摘むグリップ部を有し、他端側に前記髪の毛を挟持するリーフ部を有する一対のクリップバーと、前記一対のクリップバーを、前記グリップ部を閉じると前記リーフ部が開放され、前記グリップ部を開くと前記リーフ部が閉鎖されるように揺動可能に連結する支軸と、２つの前記リーフ部を閉鎖方向に付勢する付勢部材と、を備え、前記一対のクリップバーのうちの、一方のクリップバーを筒状に形成し、前記一方のクリップバーに、ノック部と、芯部とを設けることにより、前記一方のクリップバーの一方の端部から前記芯部の先端の出し入れが可能なノック式の筆記部を構成する、ことを特徴とする。
【０００９】
請求項２に係る発明は、請求項１に係るヘアクリップにおいて、前記芯部の先端は、前記一方のクリップバーの前記リーフ部側の端部から出入りし、前記ノック部は、前記一方のクリップバーの前記グリップ部側の端部から突出している、ことを特徴とする。
【００１０】
請求項３に係る発明は、請求項１又は２に係るヘアクリップにおいて、前記ノック部と他方のクリップバーとの間に、前記ノック部の押下動作に対応して、閉鎖状態の前記他方のクリップバーの前記リーフ部に係合するとともに前記他方のクリップバーの前記リーフ部の開放動作に対応して係合解除する係合部を有し、前記一方のクリップバーと前記芯部との間に、前記芯部を収納方向に付勢するばね部材を有する、ことを特徴とする。
【００１１】
請求項４に係る発明は、請求項３に係るヘアクリップにおいて、前記係合部は、前記ノック部に形成されて前記一方のクリップバーの切欠部から前記他方のクリップバーの前記リーフ部に向けて突出された第１凸部と、前記他方のクリップバーの前記リーフ部に形成されて前記一方のクリップバーの前記リーフ部に向けて突出されて前記第１凸部に係脱可能な第２凸部とを有する、ことを特徴とする。
【００１２】
請求項５に係る発明は、請求項３又は４に係るヘアクリップにおいて、前記髪の毛を挟持する際に、頭部に対して前記他方のグリップバーが内側に位置し、前記一方のグリップバーが外側に位置する、ことを特徴とする。
【００１３】
請求項６に係る発明は、請求項５に係るヘアクリップにおいて、前記一方のクリップバーは、前記頭部の形状に倣って前記他方のグリップバーに向かって凸状に湾曲している、ことを特徴とする。
【発明の効果】
【００１４】
請求項１の発明によれば、ヘアクリップは、髪を束ねた状態で挟持するのに加え、筆記具としても使用することができる。また、髪を挟持するのに使用する場合には、芯部の先端をクリップバーの端部から引っ込めることができるので、安全である。
【００１５】
請求項２の発明によれば、ヘアクリップは、一般的に細く形成するのが容易な一方のクリップバーのリーフ部側から芯の先端が出し入れされるので、筆記具としても特に違和感のない自然な形状、使い勝手とすることができる。
【００１６】
請求項３の発明によれば、係合部は、他方のクリップバーのリーフ部の開放動作に対応して係合解除され、また、ばね部材は、芯部を収納方向に付勢している。このため、ヘアクリップを髪に付けるためにクリップバーのリーフ部を開放すると、この開放動作に連動して、芯部が収納される。つまり、ヘアクリップを髪に付ける場合には、常に芯部が収納された状態となるため、安全である。
【００１７】
請求項４の発明によれば、係合部は、第１凸部と第２凸部とを有する簡単な構成であり、さらに、これら突出された第１凸部及び第２凸部は、ヘアクリップを髪に付けた際に髪の束に食い込んで、髪の束をしっかりと保持する助けとなる。
【００１８】
請求項５の発明によれば、一方のクリップバーと比較して大きくなりがちな筆記部が、一方のクリップバーに対してその外側に配置されるので、この逆の場合と比較して、ヘアクリップとして、自然な構成とすることができる。
【００１９】
請求項６の発明によれば、一方のクリップバーが、他方のクリップバーに向かって凸状に湾曲しているので、例えば、ヘアクリップを後頭部に付けた場合に、頭部に倣った良好な姿勢を取ることができる。
【図面の簡単な説明】
【００２０】
【図１】ヘアクリップ１を説明する図であり、（Ａ）は正面図、（Ｂ）は（Ａ）中のＸ１−Ｘ１線矢視図、（Ｃ）は右側面図、（Ｄ）は背面図である。
【図２】クリップバー１０を説明する図であり、（Ａ）は右側面図、（Ｂ）は背面図、（Ｃ）は（Ｂ）中のＸ２−Ｘ２線矢視図である。
【図３】ノック部６０を説明する図であり、（Ａ）は右側面図、（Ｂ）は背面図、（Ｃ）は（Ｂ）中のＸ３−Ｘ３線矢視図である。
【図４】クリップバー２０を説明する図であり、（Ａ）は右側面図、（Ｂ）は背面図、（Ｃ）は（Ｂ）中のＸ４−Ｘ４線矢視図である。
【図５】支軸としてのリベット３０を説明する図であり、（Ａ）は右側面図、（Ｂ）は背面図である。
【図６】付勢部材としての捩じりコイルばね４０を説明する図であり、（Ａ）は右側面図、（Ｂ）は背面図である。
【図７】ヘアクリップ１のクリップバー１０にレリーフ９１を設けた例を説明する斜視図である。
【図８】ヘアクリップ１のクリップバー１０にトカゲの造形９２を設けた例を説明する斜視図である。
【図９】ヘアクリップ１のクリップバー１０に鳥の顔の造形９３を設けた例を説明する斜視図である。
【発明を実施するための形態】
【００２１】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００２２】
図１〜図９を参照して本発明を適用した実施形態１に係るヘアクリップ１について説明する。
【００２３】
ここで、図１はヘアクリップ１を説明する図であり、（Ａ）は正面図、（Ｂ）は（Ａ）中のＸ１−Ｘ１線矢視図、（Ｃ）は右側面図、（Ｄ）は背面図である。なお、図１をはじめ、図２以降の各図面に矢印で示す上下前後左右は、ヘアクリップ１を使用する使用者が右利きである場合に、その使用者が後頭部で髪を束ねた際の、使用者を基準とした上下前後左右を示している。
【００２４】
ヘアクリップ１は、図１に示すように、一方のクリップバー１０（以下適宜、単に「クリップバー１０」という）と他方のクリップバー２０（以下適宜、単に「クリップバー２０」という）とからなる一対のクリップバー１０，２０と、これらクリップバー１０，２０を揺動可能に連結する支軸としてのリベット３０と、クリップバー１０，２０を付勢する付勢部材としての捩じりコイルばね４０と、クリップバー１０に設けた筆記部５０とを備えて構成されている。なお、クリップバー１０，２０の開閉動作は、相対的なものであるが、以下では、一方のクリップバー１０を基準にして、他方のクリップバー２０が開閉されるものとして説明する。
【００２５】
図２は、クリップバー１０を説明する図であり、（Ａ）は右側面図、（Ｂ）は背面図、（Ｃ）は（Ｂ）中のＸ２−Ｘ２線矢視図である。
【００２６】
クリップバー１０は、図１，図２に示すように、左右方向に長い略筒状（図示例では、略円筒状）に形成されており、内側には、軸心Ｃに沿って略円筒状の収納空間１４が形成されている。クリップバー１０の右端部（グリップ側の端部）１０ｃには、ノック部６０が配設され、クリップバー１０の左端部（リーフ部側の端部）１０ｄからは、芯部７０の先端７１が出入りされる。クリップバー１０の外周における右側には、前側に向けて三角形状のブラケット１１，１１が上側と下側とに、相互に平行となるように突設されている。
【００２７】
これらブラケット１１，１１には、図５に示すリベット（支軸）３０が上下方向に挿通される透孔１２，１２が形成されている。クリップバー１０は、これら透孔１２，１２を境として、右側がグリップ部１０ａとなり、左側がリーフ部１０ｂとなっている。グリップ部１０ａは、ヘアクリップ１によって頭髪を挟持したり、挟持を解除したりする際に作業者が指で摘む部分である。また、リーフ部１０ｂは、頭髪を挟持する部分である。図１（Ｃ），図２（Ａ）に示すように、ブラケット１１の前端縁における左側には、傾斜部１１ａが形成され、右側には、傾斜部１１ｂが形成されている。これら傾斜部１１ａ，１１ｂは、後述するクリップバー２０の後端縁２０ｃの形状に合わせて、略前側に向かって僅かに凸状に湾曲するように形成されている。傾斜部１１ｂは、クリップバー２０の後述するグリップ部２０ａを矢印Ｐ１方向に閉じてリーフ部２０ｂを矢印Ｐ２方向に開放した際に、グリップ部２０ａに当接してストッパとして作用する。一方、傾斜部１１ａは、クリップバー２０のリーフ部２０ｂが閉鎖された際に、このクリップバー２０の後端縁２０ｃとの間に、間隙Ｇを構成する。この間隙Ｇを利用して、髪の束を挟み込むものである。この方に間隙Ｇが形成されるようにすることで、形成されない場合と比較して、多くの量の髪の毛の束を良好に挟持することが可能となる。
【００２８】
クリップバー１０の前側における左右方向の中心近傍には、左右方向に長い窓部（切欠部）１３が形成されている。この窓部１３は、クリップバー１０の収納空間１４と外部とを連通するように穿設されていて、後述するノック部６０のフック６２は、この窓部１３を介して前側（クリップバー２０側）に向けて突出されている。図１（Ｂ），図２（Ｃ）に示すように、クリップバー１０（収納空間１４）における左端部１０ｄ近傍には、後述する圧縮ばね８０が配設される段部１５が形成されている。
【００２９】
図３は、ノック部６０を説明する図であり、（Ａ）は右側面図、（Ｂ）は背面図、（Ｃ）は（Ｂ）中のＸ３−Ｘ３線矢視図である。
【００３０】
筆記部５０は、図１〜図３に示すように、ノック部６０と芯部７０と圧縮ばね（ばね部材）８０とを有していて、上述のクリップバー１０の収納空間１４に配設されている。
【００３１】
ノック部６０は、図１，図３に示すように、左右方向に長い部材であり、クリップバー１０の右端部１０ｃ側に、左右方向スライド可能に配設されている。ノック部６０の右端には、作業者が指で押下する押下部６１が設けられていて、芯部７０の先端７１が収納空間１４内に収納されているのに対応して、右端部１０ｃから突出されている。ノック部６０の左端側の端部近傍には、前側に向かって突設されたフック（第１凸部）６２が設けられており、このフック６２は、左右方向に長い板ばね部６３の自由端となる左端に設けられていて、この板ばね部６３によって前側に付勢されるとともに、クリップバー１０の窓部１３を貫通して前側に突出されている。また、ノック部６０の左端には、芯部７０の右端に係合する凹部６４が形成されている。
【００３２】
芯部７０は、右端がノック部６０の凹部６４に係合され、先端（左端）７１がクリップバー１０の左端部１０ｃから出入り自在であるとともに、左右方向の中間部に他の部分よりも太い大径部７２が形成されている。
【００３３】
圧縮ばね８０は、図１（Ｂ）に示すように、左端をクリップバー１０の段部１５に係合させるとともに、右端を芯部７０の大径部７２に係合させることにより、芯部７０全体を右側（収納方向）に向けて付勢している。この芯部７０を介して、ノック部６０も右側に付勢されている。ノック部６０は、この状態で、フック６２を窓部１３の右端縁に係合させることで、押圧部６１を突出させた状態で位置決め（停止）されている。この状態から押圧部６１を押下すると、フック６２を窓部１３に沿って左方に移動させつつ、芯部７０の先端７１をクリップバー１０の左端部１０ｄから突出させることができる。なお、後述するように、フック６２を、クリップバー２０側のフック２２に係合させることで、芯部７０の先端７１の突出状態を維持することができる。
【００３４】
図４は、クリップバー２０を説明する図であり、（Ａ）は右側面図、（Ｂ）は背面図、（Ｃ）は（Ｂ）中のＸ４−Ｘ４線矢視図である。
【００３５】
クリップバー２０は、図１，図４に示すように、右端側よりも左端側の方が幅の狭い長板状の部材を幅方向（上下方向）及び長手方向（略左右方向）に沿って前後方向に湾曲させた形状を有している。すなわち、クリップバー２０は、左右方向に直交する断面で切ったときの形状が、前側に向かって凸状に湾曲する形状であり、かつ、全体が、後側に向かって凸状に湾曲する形状である。この形状は、使用者の頭部の形状に略倣っている。クリップバー２０の右端側における上側と下側とには、後側（クリップバー１０側）に向かって、上述のクリップバー１０のブラケット１１，１１に対応する位置にブラケット２１，２１が突設されている。これらブラケット２１，２１には、上下方向に透孔２２，２２が穿設されている。これら透孔２２には、上述のクリップバー１０のブラケット１１，１１の透孔１２，１２を貫通するリベット３０が貫通されている。つまり、クリップバー１０，２０は、リベット３０を揺動中心として、相互に揺動可能に連結されている。
【００３６】
図１に示すように、リベット３０には、付勢部材として、図６に示す捩じりコイルばね４０が挿着されている。捩じりコイルばね４０は、そのコイル部４１をリベット３０が貫通するように配置されていて、一端部４２をクリップバー１０に係合させ、他端部４３をクリップバー２０の係合させている。これにより、ヘアクリップ１は、グリップ部１０ａ，２０ａが開かれる方向、したがって、リーフ部１０ｂ，２０ｂが閉鎖される方向に付勢されている。
【００３７】
クリップバー２０は、透孔２２，２２を境として、右側がグリップ部２０ａとなり、左側がリーフ部２０ｂとなっている。グリップ部２０ａは、ヘアクリップ１によって頭髪を挟持したり、挟持を解除したりする際に作業者がクリップバー１０のグリップ部１０ａとともに指で摘む部分である。また、リーフ部２０ｂは、クリップバー１０のリーフ部１０ｂとの間に頭髪を挟持する部分である。図１に示すように、クリップバー２０のリーフ部２０ｂの後端縁２０ｃのうちの、右側に位置する部分と、クリップバー１０のブラケット１１の傾斜部１１ａとの間には、間隙Ｇが形成されている。また、クリップバー２０のリーフ部２０ｂの後端側近傍は、クリップバー１０の外周面に倣って湾曲されており、両者は近接若しくは接触されていて、その間に頭髪を挟持する。このように、クリップバー２０のリーフ部２０ｂは、左端側がクリップバー１０の外周面に当接又は近接し、右端側がクリップバー１０のブラケット１１の傾斜部１１ａとの間に間隙を有することにより、頭髪を挟持した際に、頭髪が左側（クリップバー２０の左端側）から抜けにくくなっている。
【００３８】
クリップバー２０には、上述のノック部６０のフック６２に対して係脱可能なフック２３（第２凸部）が設けてある。フック２３は、クリップバー２０の長手方向（左右方向）の略中央から後側（クリップバー１０側）に向けて突設されている。これらフック６２，２３は、ノック部６０を押下した際に相互に係合して、芯部７０の先端７１の突出状態を維持する。これにより、ヘアクリップ１を筆記具として使用することが可能となる。一方、ヘアクリップ１を、髪の束を挟持するのに使用する場合には、使用者は指で、グリップ部１０ａ，１０ｂを摘んで閉じて、リーフ部２０ａ，２０ｂを開放する。これにより、フック６２，２３の係合が解除されて、芯部７０の先端７１は、圧縮ばね８０に付勢されて収納空間１４内に収納される。そして、開放状態のリーフ部１０ｂ，２０ｂの間に髪の束を入れてグリップ部１０ａ，１０ｂを離すと、捩じりコイルばね４０によって付勢されたリーフ部１０ｂ，２０ｂが閉鎖され、両者間に頭髪を挟持することができる。この際、相互の係合が解除されたフック６２，２３が捩じりコイルばね４０に付勢されて髪の束の中に食い込むので、髪の束を確実に挟持することができ、また、ヘアクリップ１を脱落しにくくしている。
【００３９】
図１に示すように、ヘアクリップ１は、前後方向の寸法が、左端側から右端側に行くに連れて大きくなる。つまり、一般的な筆記具が、軸心を基準として略回転体に形成されているのとは異なり、軸心Ｃを基準にヘアクリップ１を適度の回転させることで、左端側は、通常の筆記具と略同様であるのに対して、右端側の、親指や人差し指やあるいはこれら付け根にあたる部分の当たり具合が種々に変化する。このため、ヘアクリップ１を適宜回転させることで、使用者に好適な姿勢を選択することが可能となる。
【００４０】
上述構成のヘアクリップ１は、頭髪を束ねて固定するのはもちろん、筆記具としても使用することができる。例えば、男性にあっては、胸ポケットを有する衣服が多いため、通常の筆記具を、そのクリップをポケットに引っ掛けることで、簡単に持ち歩きすることができる。これに対して、女性にあっては、衣服には男性と比較するとポケットが少ない。このため、筆記具の持ち歩きに苦労する。
【００４１】
そこで、本発明の係るヘアクリップ１を使用すれば、このような不便が解消される。すなわち、ヘアクリップ１を通常は、一般的なヘアクリップとして頭髪に付けて使用し、ひ状の場合には、これを筆記具として使用することができる。
【００４２】
まず、頭髪に付けていたヘアクリップ１を外すには、使用者がグリップ部１０ａ，２０ａを指（例えば、親指と人差し指）で摘むことで、リーフ部１０ｂ，２０ｂを開放することができるので、簡単に頭髪から外すことができる。なお、ヘアクリップ１は、頭髪に付けた状態においては、上述のように、芯部７０の先端７１は、収納空間１４に収納された状態であるので、安全である。
【００４３】
筆記具として使用する場合、頭髪から外したヘアクリップ１は、指でノック部６０を押下することにより、芯部７０の先端７１がヘアクリップ１０の左端部１０ｄから突出し、フック６２，２３（係合部）が係合されて、突出状態が維持される。これにより、筆記に供することができる。筆記時には、上述のように、適宜に回転させることで、使用者の好み（使い勝手）に合って姿勢を選択することができる。
【００４４】
筆記が終了したら、グリップ部１０ａ，２０ａを指で摘んで、リーフ部１０ｂ，２０ｂを開放し、開放したリーフ部１０ｂ，２０ｂの間に髪の束を挟み込む。これにより、頭髪を束にした整えた状態に保持することができる。ここで、ヘアクリップ１は、頭髪に付けるべくグリップ部１０ａ，２０ａを使用者が摘んで、リーフ部１０ｂ，２０ｂが開放されると、フック６２，２３の係合が解除されるため、圧縮ばね８０に付勢された芯部７０は、収納空間１４に収納されて、芯部７０の先端７１が引っ込むことになる。つまり、ヘアクリップ１は、頭髪に付ける動作に連動して、芯部７０の先端７１が自動的に引っ込むので、極めて安全である。
【００４５】
上述のヘアクリップ１は、頭髪を挟持する際、使用者を基準として、クリップバー２０内側（前側）に位置し、クリップバー１０が外側（後側）に位置して外部に露出される。このため、クリップバー１０の後面側に、模様，図柄，文字，記号等のデザインを施しておけば、装飾性が向上する。なお、筆記部５０を有する一方のクリップバー１０が内側に位置するような構成を採用することも可能である。さらに、上述では、グリップ部１０ａ側の右端部１０ｃ側にノック部６０を配置し、リーフ部１０ｂ側の左端部１０ｄ側に芯部７０が配設されるように構成したが、この逆の構成、すなわち、グリップ部１０ａ側の右端部１０ｃ側に芯部７０を配置し、リーフ部１０ｂ側の左端部１０ｄ側にノック部６０が配設されるように構成することも可能である。
【００４６】
さらに、図７に示すように、クリップバー１０の後面にレリーフ９１を施したり、図８に示すように、クリップバー１０の形状を利用して、トカゲの造形９２や鳥の顔の造形９３を施すようにしてもよい。これらにより、装飾効果をさらに高めることができる。
【符号の説明】
【００４７】
１  ヘアクリップ
１０  クリップバー（一方のクリップバー）
２０  クリップバー（他方のクリップバー）
１０ａ，２０ａ  グリップ部
１０ｂ，２０ｂ  リーフ部
１０ｃ  一方のグリップバーの右端部（一方のクリップバーのグリップ部側の端部）
１０ｄ  一方のグリップバーの左端部（一方のクリップバーのリーフ部側の端部）
１３  窓部（切欠部）
２３  フック（第２凸部、係合部）
３０  リベット（支軸）
４０  捩じりコイルばね（付勢部材）
５０  筆記部
６０  ノック部
６２  フック（第１凸部、係合部））
７０  芯部
７１  先端
８０  圧縮ばね（ばね部材）
【図１】
2012157408.tif 000003
【図２】
2012157408.tif 000004
【図３】
2012157408.tif 000005
【図４】
2012157408.tif 000006
【図５】
2012157408.tif 000007
【図６】
2012157408.tif 000008
【図７】
2012157408.tif 000009
【図８】
2012157408.tif 000010
【図９】
2012157408.tif 000011